(57)【特許請求の範囲】
【請求項１】
相対する高さの低い土手部と相対する高さの高い土手部とを有する底部と、前記相対する高さの低い土手部にヒンジ連結された側壁と、前記相対する高さの高い土手部にヒンジ連結された側壁とを有し、箱型に組み立てられた状態から、先ず最初に、前記高さの低い土手部にヒンジ連結された側壁を前記底部に重なるように倒し、次いで、前記高さの高い土手部にヒンジ連結された側壁を、前記先に倒された側壁に重なるように倒すことにより折り畳むことが可能な折り畳みコンテナーにおいて、前記高さの高い土手部を形成する垂直外壁部の全体が、凹部や凸部等のない略面一の一枚板に形成されているとともに、前記高さの高い土手部の両端部には、前記高さの低い土手部方向に延在する角部補強ブロックが形成されており、且つ、前記高さの低い土手部側に位置する前記角部補強ブロックの外側部には、仕切りリブを介して、凹部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，図３〜図７に示されているように、平面形状が略長方形に形成された底部１の相対する高さの低い長辺側土手部１ａに、ヒンジ部材Ｈを介して連結された長側壁２と、同じく上記底部１の相対する高さの高い短辺側土手部１ｂに、ヒンジ部材Ｈを介して連結された短側壁３とから構成されているとともに、短辺側土手部１ｂの両端部からは、長辺側土手部１ａ方向に延在する角部補強ブロック１ｃが形成されている折り畳みコンテナーが知られている。このような折り畳みコンテナーは、折り畳み状態においては、先に倒される相対する長側壁２が、底部１に重ねられており、また、後から倒される相対する短側壁３が、先に倒され底部１に重ねられている長側壁２の上に載置されるようにして、高さの低いコンパクトな状態に折り畳まれている。また、折り畳まれた状態から、箱型に組み立てるには、後から倒された短側壁３を、垂直方向に回動させて略垂直に立て、次いで、先に倒された長側壁２を、同じく、垂直方向に回動させて略垂直に立て、組み立てるように構成されている。
【０００３】
ヒンジ部材Ｈが配設された部分以外の底部１０の高さの高い短辺側土手部１ｂは、図４に示されているように、垂直外壁部１ｂ１と、垂直内壁部１ｂ２と、垂直外壁部１ｂ１の上端と垂直内壁部１ｂ２の上端を連結する水平な天部１ｂ３とから構成された逆Ｕ字状に形成されている。なお、１ｄは、底部１の裏面に形成された嵌合部であり、箱型に組み立てられた折り畳みコンテナーを段積みした際に、上に位置する折り畳みコンテナーの嵌合部１ｄが、下に位置する折り畳みコンテナーの開口部に嵌合するように構成されている。
【０００４】
底部１の高さの高い短辺側土手部１ｂの両端部に位置する部分には、底部１の剛性や強度を上げるために、仕切りリブ１ｅを介して凹部１ｆが形成されている。
【０００５】
【発明が解決しようとする課題】
折り畳みコンテナーにおいては、底部１の高さの高い土手部、即ち、上述した折り畳みコンテナーの短辺側土手部１ｂの垂直外壁部１ｂ１に、収容された物品の種類や行先や数量や会社名等の種々の情報が記載或いは記憶されたラベルやバーコードや記憶媒体等を貼付したり、この部分に、直接、種々の情報を表示することが行われているが、上述した従来の折り畳みコンテナーにおいては、短辺側土手部１ｂの両端部には、凹部１ｆが形成されているために、上記の種々の情報の表示面積が小さいという問題があった。
【０００６】
本発明の目的は、上述した従来の折り畳みコンテナーが有する課題を解決することにある。
【０００７】
【課題を解決するための手段】
本発明は、上述した目的を達成するために、相対する高さの低い土手部と相対する高さの高い土手部とを有する底部と、前記相対する高さの低い土手部にヒンジ連結された側壁と、前記相対する高さの高い土手部にヒンジ連結された側壁とを有し、箱型に組み立てられた状態から、先ず最初に、前記高さの低い土手部にヒンジ連結された側壁を前記底部に重なるように倒し、次いで、前記高さの高い土手部にヒンジ連結された側壁を、前記先に倒された側壁に重なるように倒すことにより折り畳むことが可能な折り畳みコンテナーにおいて、前記高さの高い土手部を形成する垂直外壁部の全体が、凹部や凸部等のない略面一の一枚板に形成されているとともに、前記高さの高い土手部の両端部に、前記高さの低い土手部方向に延在する角部補強ブロックを形成し、且つ、前記高さの低い土手部側に位置する前記角部補強ブロックの外側部に、仕切りリブを介して、凹部を形成したものである。
【０００８】
【実施例】
以下に、本発明の実施例について説明するが、本発明の趣旨を越えない限り何ら、本実施例に限定されるものでない。なお、上述した従来の折り畳みコンテナーと同じ構成部材については、同じ符号を用いるとともに、その詳細な説明は省略する。
【０００９】
本発明においても、上述した従来の折り畳みコンテナーと同様に、ヒンジ部材Ｈが配設された部分以外の部分の高さの高い短辺側土手部１ｂは、垂直外壁部１ｂ１と、垂直内壁部１ｂ２と、垂直外壁部１ｂ１の上端と垂直内壁部１ｂ２の上端を連結する水平な天部１ｂ３とから構成された逆Ｕ字状に形成されている。なお、１ｂ４は、垂直外壁部１ｂ１と垂直内壁部１ｂ２と天部１ｂ３により構成された逆Ｕ字状の短辺側土手部１ｂ内に配設された、垂直外壁部１ｂ１及び垂直内壁部１ｂ２に直交する内部リブである。
【００１０】
また、高さの高い短辺側土手部１ｂ側付近に位置する高さの低い長辺側土手部１ａも、垂直外壁部１ａ１と、垂直内壁部１ａ２と、垂直外壁部１ａ１の上端と垂直内壁部１ａ２の上端を連結する水平な天部１ａ３とから構成された逆Ｕ字状に形成されている。なお、１ａ４は、垂直外壁部１ａ１と垂直内壁部１ａ２と天部１ａ３により構成された逆Ｕ字状の長辺側土手部１ａ内に配設された、垂直外壁部１ａ１及び垂直内壁部１ａ２に直交する内部リブである。
【００１１】
更に、本実施例においても、短辺側土手部１ｂの両端部からは、長辺側土手部１ａ方向に延在する角部補強ブロック１ｃが形成されているが、本発明においては、高さの低い長辺側土手部１ａ側に位置する角部補強ブロック１ｃの外側部に、仕切りリブ１ｃ１を介して凹部１ｃ２が形成されている。そして、高さの高い短辺側土手部１ｂの垂直外壁部１ｂ１は、その全体が、凹部や凸部等が形成されていない略面一の一枚板に形成されている。従って、収容された物品の種類や行先や数量や会社名等の種々の情報が記載或いは記憶されたラベルやバーコードや記憶媒体等を貼付したり、直接、種々の情報を表示する表示部Ａの表示面積が、上述した従来の折り畳みコンテナーに比べて、大きくなる。
【００１２】
上述した実施例には、箱型に組み立てられた状態から後に倒される、換言すれば、折り畳まれた状態から先に立てられる短側壁３がヒンジ連結されている高さの高い短辺側土手部１ｂの外壁を、その全体が、凹部や凸部等が形成されていない略面一の一枚板に形成した例が示されているが、箱型に組み立てられた状態から後に倒される、換言すれば、折り畳まれた状態から先に立てられる長側壁２を、高さの高い長辺側土手部１ａにヒンジ連結するとともに、長辺側土手部１ａの外壁を、その全体が、凹部や凸部等が形成されていない略面一の一枚板に形成することもできる。この場合には、箱型に組み立てられた状態から後に倒される、換言すれば、折り畳まれた状態から先に立てられる短側壁３は、高さの低い短辺側土手部１ｂにヒンジ連結されることになる。
【００１３】
上述したように、箱型に組み立てられた状態から後に倒される、換言すれば、折り畳まれた状態から先に立てられる側壁２、３がヒンジ連結されている高さの高い土手部１ａ、１ｂの外壁を、その全体が、凹部や凸部等が形成されていない略面一の一枚板に形成することにより、種々の情報を表示する表示部Ａの表示面積を、より大きくすることができる。
【００１４】
【発明の効果】
本発明は、以上説明した構成を有しているので、以下に記載する効果を奏するものである。
【００１５】
箱型に組み立てられた状態から後に倒される、換言すれば、折り畳まれた状態から先に立てられる側壁がヒンジ連結されている土手部の外壁を、その全体が略面一となるように形成したので、種々の情報を表示する表示部の表示面積を、より大きくすることができる。
【図面の簡単な説明】
【図１】図１は本発明の折り畳みコンテナーが箱型に組み立てられた状態の斜視図である。
【図２】図２は本発明の折り畳みコンテナーの底部の部分斜視図である。
【図３】図３は従来の折り畳みコンテナーが箱型に組み立てられた状態の斜視図である。
【図４】図４は従来の折り畳みコンテナーの折り畳み或いは組み立て途中の斜視図である。
【図５】図５は従来の折り畳みコンテナーが折り畳まれた状態の斜視図である。
【図６】図６は図５のＩ−Ｉ線に沿った底部の垂直断面図である。
【図７】図７は従来の折り畳みコンテナーの底部の部分斜視図である。
【符号の説明】
１・・・・・・・・・・・・底部
１ａ・・・・・・・・・・・長辺側土手部
１ｂ・・・・・・・・・・・短辺側土手部
２・・・・・・・・・・・・長側壁
３・・・・・・・・・・・・短側壁
【図１】
0003958111.tif 000002
【図２】
0003958111.tif 000003
【図３】
0003958111.tif 000004
【図４】
0003958111.tif 000005
【図５】
0003958111.tif 000006
【図６】
0003958111.tif 000007
【図７】
0003958111.tif 000008